(57)【要約】【課題】プロジェクターにおいて、電源オフ時に光源を交換する旨の設定をした場合、光を交換するまでプロジェクターを使用させないようにする。【解決手段】プロジェクターは、光源から射出された光を画像情報に応じて変調して投写面に投写する画像投写手段と、光源の交換待ち状態であることを示す光源交換待フラグがセットされている場合に、光源の交換待ち状態であることを報知する報知手段と、を備え、プロジェクターの電源オン操作時（ステップＳ１０１）に光源交換待フラグがセットされていた場合（ステップＳ１０８：Ｙ）に、光源の交換待ち状態であることを報知手段により報知（ステップＳ１０９：第３報知）する。【選択図】図５
2013254008.tif 000002
【特許請求の範囲】
【請求項１】
プロジェクターであって、
光源から射出された光を画像情報に応じて変調して投写面に投写する画像投写手段と、
前記光源の交換待ち状態であることを示す光源交換待フラグがセットされている場合に、前記光源の交換待ち状態であることを報知する報知手段と、
を備えたことを特徴とする、プロジェクター。
【請求項２】
請求項１に記載のプロジェクターであって、
前記光源の点灯時間を計測する光源点灯時間計測手段と、
当該プロジェクターの入力操作を受け付ける入力操作手段をさらに備え、
前記点灯時間が寿命警告時間を超えた場合に警告するとともに前記光源を交換するか否かを選択させる確認メッセージを投写させ、
前記入力操作手段により、前記光源を交換する操作を受け付けた場合に前記光源交換待フラグをセットする、
ことを特徴とする、プロジェクター。
【請求項３】
請求項１または２に記載のプロジェクターであって、
さらに、前記プロジェクターの電源が備えられており、
前記プロジェクターの電源をオンする操作を検出したときに、前記光源交換待フラグがセットされていた場合に、前記報知手段により、前記光源の交換待ち状態のため前記プロジェクターの電源オンを保留することを報知し、前記プロジェクターの電源オンを保留する、
ことを特徴とする、プロジェクター。
【請求項４】
請求項１から３のいずれか一項に記載のプロジェクターであって、
前記光源交換待フラグがセットされており、前記入力操作手段により所定の光源交換待ち解除操作を受け付けた場合に、前記光源交換待フラグをクリアする、
ことを特徴とする、プロジェクター。
【請求項５】
請求項１から４のいずれか一項に記載のプロジェクターであって、
前記光源が交換されたことを検出する光源交換検出手段をさらに備え、
前記光源交換待フラグがセットされている場合に、前記光源交換検出手段により、前記光源が交換されたことを検出されたら前記光源交換待フラグをクリアする、
ことを特徴とする、プロジェクター。
【請求項６】
請求項１から５のいずれか一項に記載のプロジェクターであって、
さらに、前記プロジェクターの筐体が設けられており、
前記プロジェクターの筐体には、記画像投写手段を閉塞する開閉式のシャッターをさらに備え、
前記光源交換待フラグがセットされた場合に、前記シャッターを閉鎖した状態でロックする、
ことを特徴とする、プロジェクター。
【請求項７】
請求項１から６のいずれか一項に記載のプロジェクターであって、
前記筐体上に、前記光源を覆うための光源カバーをさらに備え
前記光源カバーは、閉鎖位置、半開放位置、全開放位置、のいずれかの位置に移動し、
前記光源カバーが前記閉鎖位置にあるときに画像を投写可能であり、
前記光源カバーが前記全開放位置にあるときに前記光源を交換可能であり、
前記光源カバーが前記半開放位置にあるときに前記光源を消灯するとともに、前記光源交換待フラグをセットする、
ことを特徴とする、プロジェクター。
【請求項８】
請求項７に記載のプロジェクターであって、
前記筐体の内部の温度を検出する温度検出手段をさらに備え、
前記温度検出手段により、前記筐体の内部の温度が所定温度より低いか、前記光源が消灯した後、所定時間経過するまで、前記光源カバーが前記全開放位置に移動できないようロックする、
ことを特徴とする、プロジェクター。
【請求項９】
光源から射出された光を画像情報に応じて変調して投写面に投写する画像投写手段と、
前記光源の交換待ち状態である場合にセットされる光源交換待フラグと、
を備えたプロジェクターの制御方法であって、
前記光源交換待フラグをクリアまたはセットするステップと、
前記光源交換待フラグがセットされている場合に、前記光源の交換待ち状態であることを報知する報知ステップを有する、
ことを特徴とする、プロジェクターの制御方法。
【発明の詳細な説明】
【技術分野】
【０００１】
本発明は、プロジェクター、及びプロジェクターの制御方法に関する。
【背景技術】
【０００２】
光源ランプを使用して画像を投写するプロジェクターにおいて、光源ランプには寿命があるため、特許文献１、及び特許文献２のように、光源ランプの累積点灯時間をメモリーに保存し、光源ランプの累積点灯時間が予め設定した時間に到達したら、光源ランプの交換を促す警告表示を行う方法が示されている。
【先行技術文献】
【特許文献】
【０００３】
【特許文献１】特開平４−２５０４３７号公報
【特許文献２】特開２００２−２８７２４３号公報
【発明の概要】
【発明が解決しようとする課題】
【０００４】
しかしながら、光源ランプは投写により熱を持つため、投写中に累積点灯時間が予め設定した時間に到達した場合、光源ランプを交換するためにはプロジェクターを電源オフしてから光源ランプが十分に冷えるまで待たねばならない（たとえば３０分以上）。このため、光源ランプが冷えるのを待っている間に、使用者がプロジェクターから離れたとき、そのことを知らない他の使用者が再度プロジェクターの電源をオンして起動してしまうことがあった。この場合、光源ランプを交換するために、再度電源をオフして光源ランプが冷えるのを待たなければならないという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調して投写面に投写する画像投写手段と、前記光源の交換待ち状態であることを示す光源交換待フラグがセットされている場合に、前記光源の交換待ち状態であることを報知する報知手段と、を備えたことを特徴とする。
【０００７】
本適用例によれば、プロジェクターが光源の交換待ち状態である場合に報知するので、プロジェクターの電源をオフして光源が交換可能になるまで待っている場合、他の使用者が誤ってプロジェクターを起動しないように報知することが可能となる。
【０００８】
［適用例２］上記適用例に記載のプロジェクターにおいて、前記光源の点灯時間を計測する光源点灯時間計測手段と、当該プロジェクターの入力操作を受け付ける入力操作手段をさらに備え、前記点灯時間が寿命警告時間を超えた場合に警告するとともに前記光源を交換するか否かを選択させる確認メッセージを投写させ、前記入力操作手段により、前記光源を交換する操作を受け付けた場合に前記光源交換待フラグをセットする、ことを特徴とする。
【０００９】
本適用例によれば、プロジェクターの光源の点灯時間が予め定められた寿命警告時間を越えた場合に警告するとともに光源を交換する否かを使用者に選択させ、光源を交換する選択をした場合にプロジェクターが光源の交換待ち状態になる。これにより、光源が寿命警告時間を越えた場合に使用者に報知して光源を交換するよう促すことが可能となる。
【００１０】
［適用例３］上記適用例に記載のプロジェクターにおいて、さらに、前記プロジェクターの電源が備えられており、前記プロジェクターの電源をオンする操作を検出したときに、前記光源交換待フラグがセットされていた場合に、前記報知手段により、前記光源の交換待ち状態のため前記プロジェクターの電源オンを保留することを報知し、前記プロジェクターの電源オンを保留する、ことを特徴とする。
【００１１】
本適用例によれば、プロジェクターが光源の交換待ち状態であるときに、使用者が再度電源をオンしようとしたときに報知し、電源オンを保留するので、光源の交換待ち状態にもかかわらず、プロジェクターが再度起動されてしまうのを防止することが可能となる。
【００１２】
［適用例４］上記適用例に記載のプロジェクターにおいて、前記光源交換待フラグがセットされており、前記入力操作手段により所定の光源交換待ち解除操作を受け付けた場合に、前記光源交換待フラグをクリアする、ことを特徴とする。
【００１３】
本適用例によれば、プロジェクターの光源の交換待ち状態において、所定の光源交換待ち解除操作を受け付けたときに光源の交換待ち状態を解除し、プロジェクターを起動可能とする。これにより、光源の交換待ち状態にしたものの、光源がすぐに入手できず、続けてプロジェクターを使用したい場合、再度プロジェクターを起動することが可能となる。
【００１４】
［適用例５］上記適用例に記載のプロジェクターにおいて、前記光源が交換されたことを検出する光源交換検出手段をさらに備え、前記光源交換待フラグがセットされている場合に、前記光源交換検出手段により、前記光源が交換されたことを検出されたら前記光源交換待フラグをクリアする、ことを特徴とする。
【００１５】
本適用例によれば、プロジェクターを光源の交換待ち状態にした後、光源を交換したことを検出し、光源の交換待ち状態を解除して通常状態に戻す。これにより、プロジェクターの光源を交換した後、特別な操作を行うことなく、プロジェクターを使用することが可能となる。
【００１６】
［適用例６］上記適用例に記載のプロジェクターにおいて、さらに、前記プロジェクターの筐体が設けられており、前記プロジェクターの筐体は、前記画像投写手段を閉塞する開閉式のシャッターをさらに備え、前記光源交換待フラグがセットされた場合に、前記シャッターを閉鎖した状態でロックする、ことを特徴とする。
【００１７】
本適用例によれば、プロジェクターを光源の交換待ち状態にした場合、画像投写手段を閉塞するシャッターが閉鎖位置でロックされる。これにより、使用者がプロジェクターを使用する際に、シャッターを開放しようとした場合にロックされているので、プロジェクターが光源の交換待ち状態になっていることをすぐに認識させることが可能となる。
【００１８】
［適用例７］上記適用例に記載のプロジェクターにおいて、前記筐体上に、前記光源を覆うための光源カバーをさらに備え前記光源カバーは、閉鎖位置、半開放位置、全開放位置、のいずれかの位置に移動し、前記プロジェクターは、前記光源カバーが前記閉鎖位置にあるときに画像を投写可能であり、前記プロジェクターは、前記光源カバーが前記全開放位置にあるときに前記光源を交換可能であり、前記光源カバーが前記半開放位置にあるときに前記光源を消灯するとともに、前記光源交換待フラグをセットする、ことを特徴とする。
【００１９】
本適用例によれば、プロジェクターの光源を覆う光源カバーを半開放位置に移動したときにプロジェクターを光源の交換待ち状態にするので、他の使用者がプロジェクターを使用しようとする際に光源カバーの位置が通常状態と異なるため、光源の交換待ち状態になっていることをすぐに認識させることが可能となる。
【００２０】
［適用例８］上記適用例７に記載のプロジェクターにおいて、前記筐体内部の温度を検出する温度検出手段をさらに備え、前記温度検出手段により、前記筐体内部の温度が所定温度より低いか、前記光源が消灯した後、所定時間経過するまで、前記光源カバーが前記全開放位置に移動できないようロックする、ことを特徴とする。
【００２１】
本適用例によれば、プロジェクターを光源の交換待ち状態にした後、筐体内部の温度が所定温度より低くなるか、光源消灯後、所定時間経過するまで、光源カバーを半開放位置でロックするので、光源の交換待ち状態で誤って使用者が光源カバーを全開放位置に移動させてしまい、まだ熱を持っている光源に触れるのを防止すること可能となる。
【００２２】
［適用例９］本適用例に係るプロジェクターの制御方法は、光源から射出された光を画像情報に応じて変調して投写面に投写する画像投写手段と、前記光源の交換待ち状態である場合にセットされる光源交換待フラグと、を備えたプロジェクターの制御方法であって、前記光源交換待フラグをクリアまたはセットするステップと、前記光源交換待フラグがセットされている場合に、前記光源の交換待ち状態であることを報知する報知ステップを有することを特徴とする。
【００２３】
本適用例によれば、プロジェクターが光源の交換待ち状態である場合に報知するので、使用者が誤ってプロジェクターを起動しないように報知することが可能になる。
【図面の簡単な説明】
【００２４】
【図１】プロジェクターの斜視図であり、（ａ）はシャッターが開放位置、光源カバーが閉鎖位置、（ｂ）はシャッターが閉鎖位置、光源カバーが半開放位置、（ｃ）はシャッターが閉鎖位置、光源カバーが全開放位置にある状態をそれぞれ示す。
【図２】プロジェクターの回路構成を示すブロック図。
【図３】シャッターのロック状態を示す部分正面図であり、（ａ）はシャッターが開放位置にあるとき、（ｂ）はシャッターが閉鎖位置にあり、シャッターがロック解除状態にあるとき、（ｃ）はシャッターが閉鎖位置にあり、シャッターがロック状態にあるときを示す。
【図４】光源カバーのロック状態を示す部分上面図であり、（ａ）は光源カバーが閉鎖位置にあるとき、（ｂ）は光源カバーが半開放位置にあり、光源カバーがロック状態にあるとき、（ｃ）は光源カバーが全開放位置にあり、光源カバーがロック解除状態にあるときを示す。
【図５】プロジェクターの電源オン操作を検出したときの動作を示すフローチャート。
【図６】プロジェクターが光源交換待ち解除操作を検出したときの動作を示すフローチャート。
【図７】プロジェクターが電源オフ操作を検出したときの動作を示すフローチャート。
【図８】プロジェクターの警告メッセージを示す図であり、（ａ）はプロジェクターの電源オフ操作時に、光源点灯時間が寿命警告時間を経過していたときの光源交換警告メッセージ、（ｂ）は光源交換警告メッセージに対し、光源を交換する設定をしたときの、シャッター閉鎖、光源カバー半開放位置移動通知メッセージを示す図。
【発明を実施するための形態】
【００２５】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２６】
（第１実施形態）
図１は、本実施形態のプロジェクター１を斜め前方から見た斜視図であり、（ａ）はシャッター４が開放位置、光源カバー７が閉鎖位置、（ｂ）はシャッター４が閉鎖位置、光源カバー７が半開放位置、（ｃ）はシャッター４が閉鎖位置、光源カバー７が全開放位置にある状態をそれぞれ示す。
図１に示すように、プロジェクター１は、上面２ｔ、前面２ｆなどを有する筐体２によって装置本体が覆われた構成となっている。なお、本実施形態においては、プロジェクター１に対して、投写方向である前面２ｆ方向を前方として説明する。
【００２７】
筐体２の上面２ｔには、ユーザー（使用者とも称する）により入力操作が行われる複数の操作キーを備えた入力操作手段２３、プロジェクター１の動作状態を報知する報知手段２８、光源１１を内部に収容する光源カバー７が備えられている。
【００２８】
光源カバー７は、筐体２の上面２ｔ上に形成された溝にそってスライド移動可能になっている。筐体２の内部、光源カバー７に隣接する部分には、光源カバー位置検出手段４１（図２参照）が備えられており、光源カバー７が閉鎖位置、半開放位置、全開放位置のいずれにあるかを検出できるようになっている。また、筐体２の内部、光源カバー７に隣接する部分には、光源カバーロック手段４２（図２、図４参照）が配置されており、光源カバー７が半開放位置から全開放位置に移動しないようにロックすることができるようになっている。また、光源１１の近傍には光源１１の周辺の温度を検出する、温度検出手段４３（図２参照）が備えられている。
【００２９】
図１（ａ）に示すように、光源カバー７が閉鎖位置にあるときは、光源カバー７は光源１１を覆っている。
図１（ｂ）に示すように、光源カバー７が半開放位置にあるときは、光源カバー７の一端は、前方に向かって筐体２の上面２ｔより、右方向に突出し、光源カバー７が半開放位置にあることがわかるようになっている。
図１（ｃ）に示すように、光源カバー７が全開放位置にあるときは、光源カバー７は筐体２の内部、光源１１の収容部分を開放し、光源１１が交換可能となる。
【００３０】
筐体２の前面２ｆには、開口部３が形成されており、開口部３の内側には、前方に向かって画像光を投写する投写レンズ１３が備えられている。開口部３には、カバー部材としてのシャッター４が開閉可能に備えられており、開口部３をシャッター４で閉塞することによって、投写レンズ１３を保護するとともに投写光を遮光することが可能となっている。
【００３１】
シャッター４は、合成樹脂製で略矩形の板状体であり、その１つの角部には、開閉操作を行うための操作ツマミ４ａが一体的に形成されている。操作ツマミ４ａは、筐体２の上面２ｔに形成されたスリット５から露出しており、そのスリット５に沿って操作ツマミ４ａを前方に向かって左右にスライド操作することによって、シャッター４の開閉を行うことができる。また、操作ツマミ４ａは、筐体２の上面２ｔよりも上方に突出するようになっており、スライド操作を容易にしている。
【００３２】
図１（ａ）に示すように、シャッター４が開放位置にあるとき、シャッター４は開口部３を開放し、投写レンズ１３が露出する。
図１（ｂ）、および図１（ｃ）に示すように、シャッター４が閉鎖位置にあるとき、シャッター４は開口部３を閉塞する。
筐体２の内側、シャッター４と隣接する部分には、シャッター４の位置を検出する、シャッター位置検出手段２６（図２参照）が備えられており、シャッター４が開放位置、閉鎖位置のいずれにあるかを判断できるようになっている。また、筐体２の内側、シャッター４と隣接する部分には、シャッターロック手段２７（図２、図３参照）が配置されており、シャッター４を閉鎖位置でロックできるようになっている。
【００３３】
図２は、本実施形態のプロジェクター１の回路構成を示すブロック図である。
図２に示すように、プロジェクター１は、シャッター４、光源カバー７、画像投写手段１０、ＯＳＤ処理手段１６、画像信号処理手段１７、画像信号入力手段１８、制御手段２０、記憶手段２１、入力操作手段２３、光源制御手段２５、シャッター位置検出手段２６、シャッターロック手段２７、報知手段２８、電源端子３０、電源部３１、光源交換検出手段４０、光源カバー位置検出手段４１、光源カバーロック手段４２、温度検出手段４３等で構成されており、これらは筐体２の内部または外面に収容されている。
【００３４】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００３５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
また、光源１１は、交換可能なユニットとして構成されている。
【００３６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクッス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３７】
なお、上記実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３８】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
制御手段２０は、光源点灯時間計測手段に相当するタイマー２０ａを備え、光源１１の点灯時間を計測する。計測した点灯時間は、記憶手段２１に光源点灯時間２１ａとして保存される。また、タイマー２０ａは光源１１が点灯していないときの時間計時用にも用いられる。
プロジェクター１が起動し、光源制御手段２５に指示して、光源１１を点灯すると、制御手段２０はタイマー２０ａによる光源１１の点灯時間の計時を開始し、計時した点灯時間は記憶手段２１の光源点灯時間２１ａに加算される。
【００３９】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では、光源ランプ１１ａの累積点灯時間である光源点灯時間２１ａと、光源１１の交換待ち状態であることを示す光源交換待フラグ２１ｂとが記憶手段２１に保存される。
【００４０】
入力操作手段２３は、ユーザーがプロジェクター１に対して各種指示を行うための複数の操作キーを備えている。
入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー、ヘルプキー等がある。
【００４１】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
【００４２】
画像信号入力手段１８は、上述したように複数の画像入力端子を備えており、各画像入力端子には、ビデオ再生装置やパーソナルコンピューター等、外部の画像出力装置から、図示しないケーブル、又は通信機器などを介して画像情報が入力される。
【００４３】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００４４】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４５】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００４６】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４７】
光源制御手段２５は、制御手段２０の指示に基づいて、光源１１に対する電力の供給と停止とを制御し、光源１１の点灯、及び消灯を切り替える。
【００４８】
シャッター位置検出手段２６は、メカスイッチやフォトセンサーなどから構成され、シャッター４が開放位置または閉鎖位置のいずれにあるかを検出し、制御手段２０に通知する。
【００４９】
シャッターロック手段２７は、ソレノイドなどから構成され、制御手段２０の指示に基づき、シャッター４を閉鎖位置でロックする。
【００５０】
図３はシャッター４のロック状態を示す部分正面図である。図３（ａ）はシャッター４が開放位置にあるとき、図３（ｂ）はシャッター４が閉鎖位置にあり、シャッター４がロック解除状態にあるとき、図３（ｃ）はシャッター４が閉鎖位置にあり、シャッター４がロック状態にあるときの状態をそれぞれ示す。
【００５１】
図３に示すように、シャッター４の近傍にはシャッターロック手段２７が配置される。シャッターロック手段２７はソレノイドで動作するシャッターロックピン２７ｐを備えている。
図３（ａ）はシャッター４が開放位置にあり、シャッター４がロック解除状態にあることを示す図である。このとき、シャッターロックピン２７ｐは、プロジェクター１が通常動作状態では、シャッターロック手段２７の内部に収納され、シャッター４は開放位置と閉鎖位置とを移動可能となっている。
図３（ｂ）はシャッター４が閉鎖位置に移動し、シャッター４がロック解除状態にあることを示す図である。このとき、シャッター４は再度、開放位置に移動可能である。
図３（ｃ）はシャッター４が閉鎖位置にあり、シャッター４がロック状態にあることを示す図である。このとき、シャッターロック手段２７のシャッターロックピン２７ｐが外部に突出して、シャッター４の開放位置方向側の辺と接触することにより、シャッター４が開放位置に移動するのをロックする。
【００５２】
図２に戻って、報知手段２８は、ＬＥＤ（Light emitting diode）やブザー等で構成され、制御手段２０の指示に基づいて、プロジェクター１の各種動作状態を報知する。
報知手段２８が報知する報知状態としては、プロジェクター１が電源オフの状態において、光源交換待フラグ２１ｂがセットされており、シャッター４が閉鎖位置で、光源カバー７が半開放位置でロックされている場合に報知する第１報知、第１報知の状態において、光源１１が交換可能になり、光源カバー７のロックが解除された場合に報知する第２報知、第１報知または第２報知の状態で電源オン操作を検出した場合に警告を報知する第３報知、電源オン時に光源カバー７が閉鎖位置にないことを示す第４報知などがある。これらの報知は、ＬＥＤによる点灯パターン、発光色やブザーの鳴動パターンなどで区別される。
【００５３】
光源交換検出手段４０は、メカニカルまたは電気的なスイッチなどで構成され、光源１１がプロジェクター１から外されたことを検出し、制御手段２０に通知する。具体的には、光源交換検出手段４０は制御手段２０の指示により、光源交換監視状態に設定され、光源１１が外されると、光源交換検出状態になる。制御手段２０は光源交換検出手段４０が、光源交換検出状態になっていることで光源１１が取り外され、再度取り付けられたことを検出する。
【００５４】
光源カバー位置検出手段４１は、メカスイッチやフォトセンサーなどから構成され、光源カバー７が全開放位置、半開放位置、および閉鎖位置のいずれにあるかを検出し、制御手段２０に通知する。
【００５５】
光源カバーロック手段４２は、ソレノイドなどから構成され、制御手段２０の指示に基づき、光源カバー７が半開放位置から全開放位置に移動するのをロックする。
【００５６】
温度検出手段４３は、サーミスターなどから構成され、光源１１の近傍に配置されて、光源１１の周辺の温度を検出し、制御手段２０に通知する。
【００５７】
図４は光源カバー７のロック状態を示す部分上面図であり、内部を透視している。図４（ａ）は光源カバー７が閉鎖位置にあるとき、図４（ｂ）は光源カバー７がロック状態で、半開放位置にあるとき、図４（ｃ）は光源カバー７がロック解除状態で、全開放位置にあるときをそれぞれ示す。
【００５８】
図４に示すように、筐体２の内部、光源カバー７の近傍には光源カバーロック手段４２が配置される。光源カバーロック手段４２はソレノイドで動作する光源カバーロックピン４２ｐを備えている。
図４（ａ）は、光源カバー７が閉鎖位置にあることを示す図である。プロジェクター１の通常動作状態では光源カバー７が閉鎖位置にあり、光源カバーロックピン４２ｐは光源カバーロック手段４２より突出している。
図４（ｂ）は、光源１１を交換するために光源カバー７を半開放移動し、光源カバー７がロック状態にあることを示す図である。このとき、光源カバー７の一の角部に形成された光源カバーガイド７ｐが光源カバーロックピン４２ｐに接触することにより、光源カバー７が全開放位置に移動できないようロックされる。
図４（ｃ）は、光源カバーロックピン４２ｐが光源カバーロック手段４２の内部に収納され、光源カバー７を全開放位置まで移動させた状態を示す図である。具体的には光源カバー７を半開放位置に移動した状態で所定時間経過するか、光源１１周辺の温度が光源交換可能温度以下に下がったことにより、光源カバーロック手段４２が光源カバーロックピン４２ｐを内部に収容することで光源カバー７のロック状態を解除し、光源カバー７が全開放位置に移動可能になる。この状態で光源１１が交換可能となる。
【００５９】
図２に戻って、電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００６０】
本実施形態のプロジェクター１は、上記のように構成されているため、電源端子３０に電源ケーブル（図示せず）が接続され、電源部３１に電力が供給されると、電源部３１は、少なくとも制御手段２０、記憶手段２１、入力操作手段２３に電力（スタンバイ電力）の供給を行い、制御手段２０は、この電力供給を受けて、制御プログラムに従った動作を開始する。
電力が供給された直後には、プロジェクター１は、スタンバイ状態（「電源オフ状態」ともいう。）であり、光源１１を消灯させた状態を維持している。そして、入力操作手段２３に備わる電源キーがユーザーにより操作されると、制御手段２０は、電源部３１に指示をして、各部への動作電力の供給を開始させ、プロジェクター１を電源オン状態に移行させる。
【００６１】
次に、本実施形態のプロジェクター１の動作を、図５から図７のフローチャートを用いて説明する。
（電源オン操作）
図５はプロジェクター１が電源オン操作を検出した時の動作を示すフローチャートである。
図５に示すように、プロジェクター１がスタンバイ状態において、入力操作手段２３より電源オン操作を検出すると（ステップＳ１０１）、ステップＳ１０２に遷移する。
【００６２】
ステップＳ１０２において制御手段２０は、光源カバー位置検出手段４１により、光源カバー７が閉鎖位置にあるか否かを調べる。光源カバー７が閉鎖位置にある場合（ステップＳ１０２：Ｙ）、ステップＳ１０３に遷移する。光源カバー７が閉鎖位置にない場合（ステップＳ１０２：Ｎ）、ステップＳ１０７に遷移する。
【００６３】
ステップＳ１０３において制御手段２０は、光源交換検出手段４０が光源１１の交換を検出しているか否かを調べる。光源交換検出手段４０が光源１１の交換を検出している場合（ステップＳ１０３：Ｙ）、ステップＳ１０４に遷移する。光源交換検出手段４０が光源１１の交換を検出していない場合（ステップＳ１０３：Ｎ）、ステップＳ１０８に遷移する。
【００６４】
ステップＳ１０４において制御手段２０は、光源点灯時間２１ａをリセットし、次に光源交換検出手段４０を交換監視状態（光源交換監視）に設定して、ステップＳ１０５に遷移する。
【００６５】
ステップＳ１０５において制御手段２０は、光源交換待フラグ２１ｂをクリアし、ステップＳ１０６に遷移する。
【００６６】
ステップＳ１０６において制御手段２０は、シャッターロック手段２７に指示し、シャッター４のロックを解除させ、ステップＳ１１１に遷移する。
【００６７】
ステップＳ１０７において制御手段２０は、報知手段２８により、電源オン時に光源カバー７が閉鎖位置にないことを示す第４報知を実行させ、ステップＳ１１０に遷移する。
【００６８】
ステップＳ１０８において制御手段２０は、光源交換待フラグ２１ｂがセットされているか否かを調べる。光源交換待フラグ２１ｂがセットされている場合（ステップＳ１０８：Ｙ）、ステップＳ１０９に遷移する。光源交換待フラグ２１ｂがセットされていない場合（ステップＳ１０８：Ｎ）、ステップＳ１１１に遷移する。
【００６９】
ステップＳ１０９において制御手段２０は、報知手段２８により、光源交換待状態で電源オン操作されたことを示す第３報知を実行させ、ステップＳ１１０に遷移する。
【００７０】
ステップＳ１１０において制御手段２０は、プロジェクター１をスタンバイ状態に移行させ、本動作フローを終了する。
【００７１】
ステップＳ１１１において制御手段２０は、光源カバーロック手段４２により光源カバー７を全開放位置に移動させないようロックさせて、ステップＳ１１２に遷移する。
【００７２】
ステップＳ１１２において制御手段２０は、光源制御手段２５により光源１１を点灯し、プロジェクター１を電源オン状態に移行させ、ステップＳ１１３に遷移する。
【００７３】
ステップＳ１１３において制御手段２０は、タイマー２０ａにより、光源点灯時間２１ａの計時を開始し、ステップＳ１１４に遷移する。
【００７４】
ステップＳ１１４において制御手段２０は、報知手段２８による報知を終了させ、ステップＳ１１５に遷移する。
【００７５】
ステップＳ１１５において、本動作フローを終了する。
【００７６】
（光源交換待ち解除操作）
図６はプロジェクター１が光源交換待ち解除操作を検出した時の動作を示すフローチャートである。
図６に示すように、プロジェクター１がスタンバイ状態、光源交換待フラグ２１ｂがセットされた光源の交換待ち状態において、入力操作手段２３より所定の光源交換待ち解除操作を検出すると（ステップＳ２０１）、制御手段２０は、光源交換待フラグ２１ｂをクリアし（ステップＳ２０２）、ステップＳ２０３に遷移する。
光源交換待ち解除操作は、例えば特定キーの同時押し操作などがある。
【００７７】
ステップＳ２０３において制御手段２０は、シャッターロック手段２７に指示し、シャッター４のロックを解除させ、ステップＳ２０４に遷移する。
【００７８】
ステップＳ２０４において制御手段２０は、報知手段２８による報知を終了させ、ステップＳ２０５に遷移する。
【００７９】
ステップＳ２０５において、本動作フローを終了する。
【００８０】
（電源オフ操作）
図７はプロジェクター１が電源オフ操作を検出した時の動作を示すフローチャートである。
図７に示すように、プロジェクター１が動作中に入力操作手段２３より電源オフ操作を検出すると（ステップＳ３０１）、制御手段２０は、光源点灯時間２１ａが寿命警告時間Ｔ１を越えているか否かを調べる。光源点灯時間２１ａが寿命警告時間Ｔ１を越えている場合（ステップＳ３０２：Ｙ）、ステップＳ３０３に遷移する。光源点灯時間２１ａが寿命警告時間Ｔ１を越えていない場合（ステップＳ３０２：Ｎ）、ステップＳ３１８に遷移する。
【００８１】
ステップＳ３０３において制御手段２０は、光源１１の交換警告メッセージＭ１を画像投写手段１０により投写し、ステップＳ３０４に遷移する。このときの交換警告メッセージＭ１を図８（ａ）に示す。交換警告メッセージＭ１は、使用者に光源を交換するか否かの選択を行わせる。
【００８２】
ステップＳ３０４において制御手段２０は、ステップＳ３０３において投写した、光源１１の交換警告メッセージＭ１に対して光源１１を交換する選択をしたか否かを調べる。光源１１を交換する選択をした場合（ステップＳ３０４：Ｙ）、ステップＳ３０５に遷移する。光源１１を交換する選択をしなかった場合（ステップＳ３０４：Ｎ）、ステップＳ３１８に遷移する。
【００８３】
ステップＳ３０５において制御手段２０は、光源１１を交換するために、光源カバー７を半開放位置に移動させ、シャッター４を閉鎖することを促す通知メッセージＭ２を画像投写手段１０により投写し、ステップＳ３０６に遷移する。このときの通知メッセージＭ２を図８（ｂ）に示す。通知メッセージＭ２は、使用者に光源カバー７を半開放位置に移動させ、シャッター４を閉鎖することを促したのち、第２報知としてＬＥＤが青点灯になったら交換が可能になることを知らせている。
【００８４】
ステップＳ３０６において制御手段２０は、光源カバー位置検出手段４１、及びシャッター位置検出手段２６の検出結果に基づき、光源カバー７が半開放位置に移動し、かつシャッター４が閉鎖位置に移動したか調べる。光源カバー７が半開放位置、シャッター４が閉鎖位置に移動した場合（ステップＳ３０６：Ｙ）、ステップＳ３０７に遷移する。光源カバー７が半開放位置に、シャッター４が閉鎖位置に、どちらか一方、または両方が移動していない場合（ステップＳ３０６：Ｎ）、ステップＳ３０６を繰り返す。
【００８５】
ステップＳ３０７において制御手段２０は、光源交換待フラグ２１ｂをセットし、ステップＳ３０８に遷移する。
【００８６】
ステップＳ３０８において制御手段２０は、光源制御手段２５により、光源１１を消灯させ、ステップＳ３０９に遷移する。
【００８７】
ステップＳ３０９において制御手段２０は、シャッターロック手段２７によりシャッター４を閉鎖位置でロックさせ、光源カバーロック手段４２により光源カバー７を全開放位置に移動しないよう半開放位置でロックさせて、ステップＳ３１０に遷移する。
【００８８】
ステップＳ３１０において制御手段２０は、報知手段２８に光源１１の交換待ち状態であることを示す第１報知を実行させ、ステップＳ３１１に遷移する。
【００８９】
ステップＳ３１１において制御手段２０は、タイマー２０ａによる計時を開始（タイマースタート）し、ステップＳ３１２に遷移する。
【００９０】
ステップＳ３１２において制御手段２０は、温度検出手段４３の検出結果に基づき、光源１１の周囲の温度が光源１１を交換可能な温度ＴＨ１より低くなったか否かを調べる。光源１１の周囲の温度が温度ＴＨ１より低い場合（ステップＳ３１２：Ｙ）、ステップＳ３１４に遷移する。光源１１の周囲の温度が温度ＴＨ１より低くない場合（ステップＳ３１２：Ｎ）、ステップＳ３１３に遷移する。
【００９１】
ステップＳ３１３において制御手段２０は、タイマー２０ａが所定の時間Ｔ２（例えば３０分）を経過したか否かを調べる。タイマー２０ａが時間Ｔ２を経過した場合、ステップＳ３１４に遷移する。タイマー２０ａが時間Ｔ２を経過していない場合（ステップＳ３１３：Ｎ）、ステップＳ３１２に遷移する。
【００９２】
ステップＳ３１４において制御手段２０は、光源カバーロック手段４２により光源カバー７のロックを解除させて、ステップＳ３１５に遷移する。
【００９３】
ステップＳ３１５において制御手段２０は、タイマー２０ａの計時を終了し、ステップＳ３１６に遷移する。
【００９４】
ステップＳ３１６において制御手段２０は、報知手段２８に光源１１の交換待ち状態で光源１１が交換可能になったことを示す第２報知を実行させ、ステップＳ３２０に遷移する。
【００９５】
ステップＳ３１８において制御手段２０は、光源制御手段２５により光源１１を消灯させ、ステップＳ３２０に遷移する。
【００９６】
ステップＳ３２０において制御手段２０は、プロジェクター１をスタンバイ状態に移行させ、本動作フローを終了する。
【００９７】
なお、本実施形態においては、バックアップバッテリーを搭載し、スタンバイ状態において電力の供給が絶たれた場合にも、ステップＳ３０９からステップＳ３２０のタイマー２０ａによる計時、光源１１周辺の温度監視動作を行うものとする。これにより、使用者が光源１１を交換するためにプロジェクター１のＡＣ電源をオフした場合も、報知手段２８の報知動作、光源カバー７のロック解除動作が行われる。
【００９８】
以上説明したように、本実施形態のプロジェクター１によれば、プロジェクター１の光源点灯時間２１ａが予め定められた寿命警告時間Ｔ１を越えた場合に警告するとともに光源１１を交換する否かを使用者に選択させ、光源１１を交換する選択をした場合に光源交換待フラグ２１ｂをセットし、プロジェクター１が光源１１の交換待ち状態になる。これにより、光源１１が寿命警告時間Ｔ１を越えた場合に使用者に報知して光源１１を交換するよう促すことが可能となる。
【００９９】
また、プロジェクター１が光源１１の交換待ち状態である場合に報知し、プロジェクター１の電源をオンする操作を検出した場合に、電源オンを保留し、光源１１の交換待ち状態であるために電源オンを保留することを報知する。これにより、プロジェクター１が光源１１の交換待ち状態であることを使用者に報知し、光源１１の交換待ち状態であるにもかかわらず、プロジェクター１が再度起動されてしまうのを防止することが可能となる。
【０１００】
また、プロジェクター１が光源１１の交換待ち状態のとき、所定の光源交換待ち解除操作を受け付けたときにプロジェクター１を起動可能とする。これにより、光源１１の交換待ち状態にしたものの、光源がすぐに入手できず、続けてプロジェクター１を使用したい場合、再度プロジェクターを起動することが可能となる。
【０１０１】
また、プロジェクター１を光源１１の交換待ち状態にした後、光源１１を交換したことを検出し、光源１１の交換待ち状態を解除して通常状態に戻す。これにより、プロジェクター１の光源１１を交換した後、特別な操作を行うことなく、プロジェクター１を起動することが可能となる。
【０１０２】
また、プロジェクター１を光源１１の交換待ち状態にした場合、開口部３を閉塞するシャッター４が閉鎖位置でロックされる。これにより、使用者がプロジェクター１を使用する際に、シャッター４を開放しようとした場合にロックされているので、プロジェクター１が光源１１の交換待ち状態になっていることをすぐに認識させることが可能となる。
【０１０３】
また、プロジェクター１の光源１１を覆う光源カバー７を半開放位置に移動したときにプロジェクター１を光源１１の交換待ち状態にするので、他の使用者がプロジェクター１を使用しようとする際に光源カバー７の位置が通常状態と異なるため、光源１１の交換待ち状態になっていることをすぐに認識させることが可能となる。
【０１０４】
また、プロジェクター１を光源１１の交換待ち状態にした場合、筐体２の内部の温度が所定温度より低くなるか、光源１１の消灯後、所定時間Ｔ２を経過するまで、光源カバー７を半開放位置でロックするので、光源１１の交換待ち状態で誤って使用者が光源カバー７を全開放位置に移動させてしまい、まだ熱を持っている光源１１に触れるのを防止することが可能となる。
【０１０５】
また、上記実施形態は、以下のように変更してもよい。
（変形例１）
上述した実施形態においては、プロジェクター１が光源１１の交換待ち状態のとき、所定の解除操作を検出した場合に光源１１の交換待ち状態を解除するが、使用開始時に暗証番号認証を必要としてもよい。これにより、光源１１の寿命警告時間Ｔ１到達後は、暗証番号を知っている管理者や、限られた使用者にしか、使用することができなくなるので、管理者に光源の早期交換を促すとともに、プロジェクター１が使い続けられるのを防止することが可能となる。
【符号の説明】
【０１０６】
１…プロジェクター、３…開口部、４…シャッター、７…光源カバー、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０ａ…タイマー、２１…記憶手段、２１ａ…光源点灯時間、２１ｂ…光源交換待フラグ、２３…入力操作手段、２５…光源制御手段、２６…シャッター位置検出手段、２７…シャッターロック手段、２８…報知手段、３０…電源端子、３１…電源部、４０…光源交換検出手段、４１…光源カバー位置検出手段、４２…光源カバーロック手段、４３…温度検出手段。
【図１】
2013254008.tif 000003
【図２】
2013254008.tif 000004
【図３】
2013254008.tif 000005
【図４】
2013254008.tif 000006
【図５】
2013254008.tif 000007
【図６】
2013254008.tif 000008
【図７】
2013254008.tif 000009
【図８】
2013254008.tif 000010